(57)【要約】【課題】周辺構造物との干渉を気にすることなく、ハウジング１０に対する引出し部材の傾き角度を自由に設定できるようにする。【解決手段】前面が開口したハウジング１０と、このハウジング１０に対し前後方向に摺動自在に組み込まれ前方摺動端において前端部分がハウジング１０から露出するスライダ２０と、このスライダ２０に対し前後方向に摺動自在に組み込まれ且つ前方摺動端においてハウジング１０から露出するスライダ２０の前端部分に支持されて回動する引出し部材３０とを備える。スライダ２０と引出し部材３０は、ともにハウジング１０の中空部内へ収納可能である。そして、ハウジング１０に対しスライダ２０が前方の摺動端まで移動してから、該スライダ２０に対して引出し部材３０が前方へ摺動する構成とする。【選択図】      図４
2004196090.tif 000002
【特許請求の範囲】
【請求項１】
前面が開口したハウジングと、このハウジングに対し前後方向に摺動自在に組み込まれ前方摺動端において前端部分がハウジングから露出するスライダと、このスライダに対し前後方向に摺動自在に組み込まれ且つ前方摺動端において前記ハウジングから露出するスライダの前端部分に支持されて回動する引出し部材とを備え、
前記スライダと引出し部材がともに前記ハウジングの中空部内へ収納可能であり、
且つ、前記ハウジングに対し前記スライダが前方の摺動端まで移動してから、該スライダに対して前記引出し部材が前方へ摺動する構成としたことを特徴とする引出し装置。
【請求項２】
請求項１の引出し装置において、
前記引出し部材に、前記スライダを押圧付勢しその付勢力がスライダに対する引出し部材の摺動抵抗となる構成の付勢部材を設けたことを特徴とする引出し装置。
【請求項３】
請求項２の引出し装置において、
前記スライダに対して前記引出し部材が後方摺動端に位置するとき、前記付勢部材が弾力的に係合する係止部を、前記スライダに設けたことを特徴とする引出し装置。
【請求項４】
請求項２又は３の引出し装置において、
前記スライダの先端縁に傾斜面を形成するとともに、前記付勢部材がこの傾斜面を押圧し、その反作用をもって前記引出し部材を回動方向に付勢する構成としたことを特徴とする引出し装置。
【請求項５】
請求項１乃至４のいずれか一項に記載した引出し装置において、
前記ハウジングに、ガイド突起を有するガイド部材を装着し、
且つ、前記スライダの外側面に、所定の長さで摺動方向に延びるスライド規制溝を形成し、
前記ガイド突起が前記スライド規制溝に係合して前記スライダを摺動案内するとともに、該ガイド突起が前記スライド規制溝の両端部に当接して前記スライダの摺動範囲が規制される構成としたことを特徴とする引出し装置。
【請求項６】
請求項５の引出し装置において、
前記ガイド部材は、弾力的にたわみ可能な片持ち片を有し、該片持ち片の自由端に前記ガイド突起が形成されており、固定端から前方に向けて該片持ち片が延びるように前記ハウジングへ装着されることを特徴とする引出し装置。
【請求項７】
請求項１乃至６のいずれか一項に記載した引出し装置において、
前記引出し部材の外側面に並べて設けられた第１，第２の支持突起と、
前記スライダの内側面に形成された摺動方向に延びるスライド溝とを備え、
前記各支持突起は、前記スライド溝に摺動自在に係合するとともに、第１の支持突起は、前記スライド溝の深さ方向へ弾力的に移動可能に支持されており、
前記スライド溝は、前記スライダに対し前記引出し部材が前方摺動端に位置するとき前記第１の支持突起と対向する上側壁面部分に、前記第１の支持突起が弾力的にのり越え可能な切欠き部を有することを特徴とする引出し装置。
【請求項８】
請求項１乃至７のいずれか一項に記載した引出し装置において、
前記スライダは底板および両側板からなり、該スライダの上面開口部には、前方摺動端にある前記引出し部材の後方部分を閉塞するように天板が装着されることを特徴とする引出し装置。
【発明の詳細な説明】
【０００１】
【発明の属する技術分野】
この発明は、例えば、自動車のインスツルメンタパネルに設けられ、小物入れ、トレイ、灰皿、カップホルダ等に利用される引出し装置に関する。
【０００２】
【従来の技術】
従来、この種の引出し装置として、特許文献１に示された構造のものが知られている。この引出し装置は、具体的には図示しないが、主として、ハウジングとケースとスライダの３部品からなり、スライダはハウジングの内部に組み込まれ、ハウジングの内部で前後方向に摺動し、ケースはスライダにピンを介して連結されスライダと一体に移動するとともに、引出し端においてスライダに対し回動し傾斜姿勢を形成する構成となっていた。
【０００３】
【特許文献１】
実公平４−４８９８７号公報号公報
【特許文献２】
特開平７−１８６８７３号公報
【０００４】
【発明が解決しようとする課題】
特許文献１に開示された従来の引出し装置は、スライダがハウジングの内部でのみ摺動する構成であったので、スライダに対しトレーが回動（スラント）する支点部分はハウジングの内部に配置されている。このため、トレーはハウジングの前端開口部よりも内側から傾斜した姿勢をもって突き出すことになる。
【０００５】
ところが、ハウジングの前端開口部にはその周辺、特に下方位置に、例えばインスツルメンタパネルの化粧板や、オーディオ装置などが前方にせり出して配設されていることが多い。したがって、ハウジングに対しトレーの傾きが大きいと、これら前方にせり出して配設された周辺構造物と干渉してしまうおそれがあった。このため、上記特許文献１に開示された従来の引出し装置は、ハウジングに対するトレーの傾き角度が小さく限定されたものとなり、このことが自動車のインスツルメンタパネル等への組み込み自由度を制限していた。
【０００６】
なお、本出願人らが先に提案した特許文献２の先行技術は、スライダを省略してハウジングに対しケースを手動自在に装着した構造としてあるが、かかる先行技術にあっても、ケースが回動する際の支持部分はハウジング内に形成されており、よってケースはハウジングの前端開口部よりも内側から傾斜した姿勢をもって突き出す構成は特許文献１の従来技術と同様であり、ハウジングに対するトレーの傾き角度が小さく限定されたものとなる課題は解消されていない。
【０００７】
【課題を解決するための手段】
本発明は、かかる従来の引出し装置の課題を有効に解決するために開発されたもので、請求項１の発明は、前面が開口したハウジングと、このハウジングに対し前後方向に摺動自在に組み込まれ前方摺動端において前端部分がハウジングから露出するスライダと、このスライダに対し前後方向に摺動自在に組み込まれ且つ前方摺動端において前記ハウジングから露出するスライダの前端部分に支持されて回動する引出し部材とを備え、
前記スライダと引出し部材がともに前記ハウジングの中空部内へ収納可能であり、
且つ、前記ハウジングに対し前記スライダが前方の摺動端まで移動してから、該スライダに対して前記引出し部材が前方へ摺動する構成としたことを特徴とする。
【０００８】
また、請求項２の発明は、請求項１の構成を前提として、
前記引出し部材に、前記スライダを押圧付勢しその付勢力がスライダに対する引出し部材の摺動抵抗となる構成の付勢部材を設けたことを特徴とする。
【０００９】
請求項３の発明は、請求項２の構成を前提として、
前記スライダに対して前記引出し部材が後方摺動端に位置するとき、前記付勢部材が弾力的に係合する係止部を、前記スライダに設けたことを特徴とする。
【００１０】
請求項４の発明は、請求項２又は３の構成を前提として、
前記スライダの先端縁に傾斜面を形成するとともに、前記付勢部材がこの傾斜面を押圧し、その反作用をもって前記引出し部材を回動方向に付勢する構成としたことを特徴とする。
【００１１】
請求項５の発明は、請求項１乃至４のいずれか一項の構成を前提として、
前記ハウジングに、ガイド突起を有するガイド部材を装着し、
且つ、前記スライダの外側面に、所定の長さで摺動方向に延びるスライド規制溝を形成し、
前記ガイド突起が前記スライド規制溝に係合して前記スライダを摺動案内するとともに、該ガイド突起が前記スライド規制溝の両端部に当接して前記スライダの摺動範囲が規制される構成としたことを特徴とする。
【００１２】
請求項６の発明は、請求項５の構成を前提として、
前記ガイド部材は、弾力的にたわみ可能な片持ち片を有し、該片持ち片の自由端に前記ガイド突起が形成されており、固定端から前方に向けて該片持ち片が延びるように前記ハウジングへ装着されることを特徴とする。
【００１３】
請求項７の発明は、請求項１乃至６のいずれか一項の構成を前提として、
前記引出し部材の外側面に並べて設けられた第１，第２の支持突起と、
前記スライダの内側面に形成された摺動方向に延びるスライド溝とを備え、
前記各支持突起は、前記スライド溝に摺動自在に係合するとともに、第１の支持突起は、前記スライド溝の深さ方向へ弾力的に移動可能に支持されており、
前記スライド溝は、前記スライダに対し前記引出し部材が前方摺動端に位置するとき前記第１の支持突起と対向する上側壁面部分に、前記第１の支持突起が弾力的にのり越え可能な切欠き部を有することを特徴とする。
【００１４】
請求項８の発明は、請求項１乃至７のいずれか一項の構成を前提として、
前記スライダは底板および両側板からなり、該スライダの上面開口部には、前方摺動端にある前記引出し部材の後方部分を閉塞するように天板が装着されることを特徴とする。
【００１５】
したがって、請求項１の発明によれば、スライダが前方摺動端において前端部分をハウジングから露出させるとともに、引出し部材がこのハウジングから露出するスライダの前端部分に支持されて回動する構成とし、さらにハウジングに対してスライダが前方の摺動端まで移動してから、該スライダに対しスライダが前方へ摺動する構成としたので、引出し部材は、ハウジングから露出した位置で回動する。
このため、ハウジングの前端開口部付近にせり出した周辺構造物があっても、それら周辺構造物よりも前方で引出し部材が回動し、その結果、周辺構造物との干渉を気にすることなく、スライダひいてはハウジングに対する引出し部材の傾き角度を自由に設定することができ、自動車のインスツルメンタパネル等への組み込み自由度が広がり汎用性が向上する
【００１６】
請求項２の発明によれば、引出し部材に設けた付勢部材の摺動抵抗により、スライダが摺動する間は、引出し部材がスライダに対して固定されるので、簡単な構成をもってスライダと引出し部材の動作順序を規定することができる。すなわち、この付勢部材によって、スライダが前方の摺動端まで移動してから、該スライダに対しスライダが前方へ摺動する構成を簡易に実現することができる。
【００１７】
請求項３の発明によれば、係止部によって上記スライダと引出し部材の動作順序をいっそう確実なものとすることができる。
【００１８】
請求項４の発明によれば、上記付勢部材によって引出し部材のスライダに対する傾斜姿勢をがたつきなく保持することが可能となる。
【００１９】
請求項５の発明によれば、スライダの外側面にスライド規制溝を形成することにより、ハウジングの内側面にこのスライド規制溝を形成する構造に比べ、成形用の金型構造を簡素化され、製造の容易化を図ることができる。
【００２０】
請求項６の発明によれば、片持ち片の自由端に上記ガイド突起を形成し、且つ固定端から前方に向けて該片持ち片が延びるように構成したので、仮に引出し部材を越えてハウジングの奥側に物品が入り込んでしまった場合にも、引出し部材を介してスライダを通常の引出し力より強い力で引き出せば、片持ち片がたわんでガイド突起がスライド規制溝をのり越え、スライダと引出し部材を破壊することなくハウジングから取り外すことができる。取り外したスライダと引出し部材は、ハウジング内に押し込めば、片持ち片がたわんでガイド突起がスライド規制溝に再び係合し、また装着状態を形成することができる。
【００２１】
請求項７の発明によれば、引出された状態にある引出し部材に外部から過大な横荷重が作用した場合に、上記第１の支持突起が弾力的に切欠き部をのり越えてスライド溝から離脱する。そして、第２の支持突起を支点として引出し部材が回動することにより横荷重を逃げ、これをもって引出し部材の破損を回避することができる。なお、スライド溝から離脱した第１の支持突起は、再び切欠き部を通してスライド溝内に挿入することができる。
【００２２】
請求項８の発明によれば、スライダを底板および両側板からなる構成としたので、上面開口部から引出し部材の組み込み作業が容易に行える。さらに、スライダには、引出し部材の後方部分を閉塞するように天板を装着することで、引出し部材をのり越えて物品がハウジングの後方部分に入り込むことを防止でき、しかも天板によりスライダの剛性を高め強度の向上を図ることができる。
【００２３】
【発明の実施の形態】
以下、この発明の実施の形態について図面を参照して詳細に説明する。
図１〜図４は本発明の実施形態に係る引出し装置の外観をそれぞれ異なった動作位置で示す斜視図、図５は同引出し装置の分解斜視図である。
【００２４】
本実施形態の引出し装置は、図５に示すように、ハウジング１０、スライダ２０、引出し部材３０、およびガイド部材４０を備えており、スライダ２０がハウジング１０に対して摺動自在に組み込まれるとともに、引出し部材３０がスライダ２０に対して摺動自在に組み込まれている。スライダ２０と引出し部材３０は、ハウジング１０の中空部内へ収納可能となっており（図１参照）、さらに引出し部材３０はハウジング１０の前方に引出し可能となっている（図２〜図４参照）。
【００２５】
ここで、引出し部材３０がハウジング１０から引き出される際は、まずスライダ２０がハウジング１０に対し前方へ摺動してその前端部分をハウジング１０から露出させる（図２参照）。次いで、引出し部材３０がスライダ２０に対し前方へ摺動して引き出され（図３参照）、前方摺動端において回動してハウジング１０に対し傾斜姿勢をとる（図４参照）。
【００２６】
図６はハウジングを示す図である。
ハウジング１０は、図５および図６に示すように、前面が開口した箱形形状をしており、その中空部内はスライダ２０と引出し部材３０が重なり合って収納できる空間を形成している。ハウジング１０は、内底部がスライダ２０の摺動面となっており、内部の後端部分には引出し部材３０の収納状態を保持するためのロック機構１１が設けられている。このロック機構１１は、引出し部材３０の後端部に設けたピン１２（図９（ｃ）参照）がロック爪１３に係合して収納状態を保持し、また収納位置から更に引出し部材３０を押し込むことでロック爪１３によるピン１２の係止状態が解除されるプッシュオープン型の構造となっている。この種のロック機構は、特開平６−７１３０９号公報等に開示され既に周知である。
また、ロック機構１１の両側には、スライダ２０を後方から押圧付勢するコイルばね１４が設けてある。スライダ２０は、ロック機構１１によるロック状態が解除されたとき、これらコイルばね１４によって前方へ押し出される。
【００２７】
ハウジング１０の両側面には、ガイド部材４０の装着部１５が形成してある。装着部１５は、中央部に装着窓１５ａを有している。左右の装着部１５は、後述するように同一のガイド部材４０を上下逆転した姿勢で各々装着できるように構成されている。
【００２８】
図７，図８はスライダを示す図である。
スライダ２０は、底板２１と左右の側板２２，２２からなり、左右の側板２２，２２の外面には、一定の長さで前後方向に延びるスライド規制溝２３が形成してある。スライド規制溝２３は、楕円形状の周壁２３ａの内側に形成されており、このスライド規制溝２３の長さによってハウジング１０に対するスライダ２０の摺動範囲が規定される。また、このスライド規制溝２３内には、凸部２３ｂが形成されている。さらに、側板２２，２２には、周壁２３ａの後方から周壁２３ａの後端縁につながる傾斜したガイドスロープ２３ｃが形成されている。
【００２９】
スライド規制溝２３に沿ってその上部には、側方へたわみ可能な側部弾力片２４が形成されている。また、左右の側板２２，２２の上縁には後端部近傍に、上下方向にたわみ可能な上部弾力片２５が形成されている。
【００３０】
左右の側板２２，２２の内面には、後端部から前端部にかけて前後方向に延びるスライド溝２６が形成してある。引出し部材３０は、このスライド溝２６に沿って摺動する。スライド溝２６は、前端部近くから湾曲して延びている。この湾曲部２６ａは、引出し部材３０を回動させてスライダ２０に対し傾斜した姿勢を形成する機能を有している。
【００３１】
また、左右の側板２２，２２には、図５に示すように、引出し部材３０の組付け部２２ｂが形成されている。この組付け部２２ｂは、側板２２，２２の内側を上端縁から一定深さまで切り込み、さらにその内面をスライド溝２６の開口縁に向う傾斜面とした構成となっている。
【００３２】
スライダ２０の底板２１には、先端縁に傾斜面２１ａが形成してあり、また後端部に係止溝２７（係止部）が形成してある。係止溝２７には、後述する引出し部材３０の摺動抵抗ばね３４が弾力的に係合する。
さらに、スライダ２０の底板２１には、後端部両側付近に係止爪２８が回動自在に設けてある。これら係止爪２８は底板２１の下方に出没自在となっており、常時ねじりコイルばね２９によって付勢され、先端の爪部２８ａが下方に突き出している（図８（ｂ）参照）。また、係止爪２８の基端部分は上方に突き出す当接部２８ｂを形成しており、後方の摺動端近くまで移動してきた引出し部材３０の後端が、この当接部２８ｂに当接して爪部２８ａを底板２１の下方から押し上げる構成となっている。なお、後述するように、ハウジング１０の底面には、スライダ２０が前方摺動端に位置するとき、上記係止爪２８が係合する切欠孔１６が形成してある。
【００３３】
スライダ２０の上面開口部には、図５に示すように、前方摺動端にある引出し部材３０の後方部分を閉塞する位置に天板５０が装着可能となっている。この天板５０は、左右の側板２２，２２に形成した天板装着部２２ａに両側端を係合させることで着脱自在に装着される。
【００３４】
図９は引出し部材を示す図である。
引出し部材３０は、物品の収納凹部３１を有し、かつ前面がハウジング１０から露出する意匠面を構成している。引出し部材３０の両側面の後端部付近には、第１，第２の支持突起３２，３３が横方向に並べて形成してある。これら各支持突起３２，３３は、スライダ２０に形成したスライド溝２６に係合する。各支持突起３２，３３の間隔は、スライダ２０に形成した湾曲部２６ａの基端に第１の支持突起３２が位置するとき、第２の支持突起３３が湾曲部２６ａの先端に位置するように設定してある。
【００３５】
また、第１の支持突起３２は、両側面に形成した支持穴に出没自在となっている。図面では明確に描かれていないが、支持穴にはコイルばねが収納してあり、第１の支持突起３２は、このコイルばねの付勢力をもって側面から突き出すとともに、外力の作用に伴い支持穴の内部に入り込む構成となっている。
【００３６】
ここで、スライダ２０の両側面に形成したスライド溝２６には、引出し部材３０が前方摺動端に位置するとき、上記第１の支持突起３２と対向する上側壁面部分に切欠き部２６ｂが形成してある（図８参照）。
【００３７】
さらに引出し部材３０の後端部下面には、板ばねからなる摺動抵抗ばね３４（付勢部材）が装着してある。摺動抵抗ばね３４は、基端が引出し部材３０の後端部下面に固定され、先端部でスライダ２０の底面を押圧付勢する機能を有している。さらに、摺動抵抗ばね３４の先端部は凸状に膨出しており、この先端部がスライダ２０に形成した係止溝２７と係合可能となっている。
【００３８】
図１０はガイド部材を示す図である。
ガイド部材４０は、その中央壁部に横方向に延びる弾力性のある片持ち片４１が切欠き形成してあり、この片持ち片４１の先端部に円柱状のガイド突起４２が突出して形成されている。このガイド突起４２は、スライダ２０に形成したスライド規制溝２３に係合する。ここで、スライド規制溝２３内に形成した凸部２３ｂ（図７（ｃ）、図８（ａ）参照）は、スライダ２０が前方摺動端に位置するとき、ガイド突起４２のすぐ前方に配置されるような位置に形成されている。
【００３９】
また、ガイド突起４２の上下近傍には、スライダ２０に形成したスライド規制溝２３の周壁２３ａと摺接する支持片４３が形成されている。さらに、ガイド部材４０の上下端部には折返し部４４，４５が形成され、これら折返し部４４，４５にハウジング１０の装着部１５へ弾力的に係合する装着爪４６が係止してある。
【００４０】
上述した構成の各構成部材からなる引出し装置は、次のように組み立てられる。
すなわち、図５に示すように、スライダ２０に形成したスライド溝２６に第１，第２の支持突起３２，３３を係合させて引出し部材３０を組み込む。このとき、第１，第２の支持突起３２，３３を組付け部２２ｂの傾斜面に沿って押し込めば、滑らかに第１，第２の支持突起３２，３３をスライド溝２６へ係合させることができる。
次いで、スライダ２０の天板装着部２２ａに天板５０を装着する。スライダ２０は、この天板５０によってスライダ２０の剛性が確保される。さらに、天板５０は、前方摺動端にある引出し部材３０の後方を閉塞するように装着されるので、この天板５０により、引出し部材３０をのり越えて物品がハウジング１０の後方部分に入り込むことを防止できる（図４参照）。
このようにして引出し部材３０が組み込まれたスライダ２０は、ハウジング１０の内部へ前面開口部から収納され、その後、ハウジング１０の装着部１５にガイド部材４０が装着される。
【００４１】
このとき、ガイド部材４０は、ハウジング１０に形成した左右の装着部１５に対し、上下逆向きの姿勢で各々装着し、これによって各ガイド部材４０の片持ち片４１がともに固定端から前方へ向けて横方向へ延びるようにする。このようにしてハウジング１０に組み込まれたスライダ２０は、スライド規制溝２３にガイド部材４０のガイド突起４２が係合する。また、スライダ２０に形成した側部弾力片２４がハウジング１０の内側面に弾力的に摺接して、スライダ２０の横方向のがたつきを抑える。さらに、スライダ２０に形成した上部弾力片２５がハウジング１０の天井面に弾力的に摺接して、スライダ２０の上下方向のがたつきを抑える。
【００４２】
次に、図１１〜図１５を主に参照して引出し装置の動作を説明する。
図１１はハウジングの内部でスライダと引出し部材が後方摺動端に位置する状態を示す図である。この状態にあっては、スライド規制溝２３の前端がガイド突起４２に当接してそれ以上後方へのスライダ２０の移動が規制されている。引出し部材３０に対する後方への押圧力を解除すると、コイルばね１４（図６参照）の付勢力によって図１１の状態から僅か前方にスライド部材が移動してロック機構１１（図６参照）によるロック状態が形成される。この状態が収納状態である。
収納状態では、スライダ２０の係止溝２７（図７，図８参照）に引出し部材３０の摺動抵抗ばね３４（図９参照）が係合している。また、スライダ２０の係止爪２８（図８参照）は、当接部２８ｂが引出し部材３０に押されて、爪部２８ａが底板２１の下方から押し上げられている。
【００４３】
上記収納状態から引出し部材３０を後方へ押し込むと、ロック機構１１が解除され、コイルばね１４の付勢力をもってスライダ２０が前方へ押し出される。続いて、引出し部材３０を前方へ引き出すと、スライダ２０の係止溝２７（図７，図８参照）に引出し部材３０の摺動抵抗ばね３４（図９参照）が係合していることから、スライダ２０と引出し部材３０が一体となって前方へ引き出される。すなわち、スライダ２０がハウジング１０に対して前方へ移動する。
【００４４】
そして、ハウジング１０に対しスライダ２０が凸部２３ｂをのり越えて前方摺動端まで移動すると、図１２に示すように、スライド規制溝２３の後端がガイド突起４２に当接してそれ以上前方へのスライダ２０の移動が規制される。しかも、凸部２３ｂによってスライダ２０は後方への自由な移動が規制される。これにより、スライダ２０は前方摺動端に保持される。このようにして前方摺動端まで移動したスライダ２０は、前端部分がハウジング１０の前面開口部から露出している（図３参照）。
【００４５】
この状態からさらに引出し部材３０に引出し力を加えると、摺動抵抗ばね３４（図９参照）と係止溝２７（図７，図８参照）との間の係止状態が解除され、そして図１３に示すように、スライダ２０に対し引出し部材３０が前方へ摺動していく。引出し部材３０の前方への移動に伴い、スライダ２０の係止爪２８は引出し部材３０による押圧が解除されるため、ねじりコイルばね２９の付勢力をもって回動し、爪部２８ａがハウジング１０の底面に形成した切欠孔１６と係合する。その結果、スライダ２０は、後方への自由な移動が規制される。
【００４６】
スライダ２０に対し引出し部材３０を前方へ摺動させていくと、図１４に示すように、引出し部材３０に設けた第２の支持突起３３がスライド溝２６の湾曲部２６ａに至り、この湾曲部２６ａに沿って引出し部材３０を回動し、スライダ２０に対する傾斜姿勢を形成する。このとき、引出し部材３０は、ハウジング１０から露出するスライダ２０の前端部を支点に回動するため、その周辺部にインスツルメンタパネルの化粧板や、オーディオ装置化粧板等の前方にせり出した構造物等があっても、それらとの干渉が回避される。
【００４７】
また、スライダ２０に対し引出し部材３０が傾斜姿勢を形成したとき、スライダ２０の先端縁に形成した傾斜面２１ａを摺動抵抗ばね３４が押圧し、その反作用をもって引出し部材３０が回動方向に付勢される。このため、引出し部材３０はスライダ２０に対しがたつきなく傾斜姿勢を保持される。
【００４８】
一般には、図１５（ａ）に示すように、ハウジング１０が傾斜姿勢をもって自動車のインスツルメンタパネル等に装着され、引出し部材３０は水平配置の引出し状態を形成する。ここで、引出された状態にある引出し部材３０に外部から過大な横荷重が作用した場合は、図１５（ｂ）に示すように、第１の支持突起３２が弾力的に切欠き部２６ｂをのり越えてスライド溝２６から離脱する。そして、横荷重に逆らうことなく第２の支持突起３３を支点として引出し部材３０が回動するので、引出し部材３０の破損が回避される。
【００４９】
また、上述したように、各ガイド部材４０は片持ち片４１がともに固定端から前方へ向けて横方向へ延びるように装着されているので、仮に引出し部材３０を越えてハウジング１０の奥側に物品が入り込んでしまった場合にも、引出し部材３０を介してスライダ２０を大きな力で勢いよく引き出せば、片持ち片４１がたわんでガイド突起４２がスライド規制溝２３をのり越え、スライダ２０と引出し部材３０を破壊することなくハウジング１０から取り外すことができる。取り外したスライダ２０と引出し部材３０は、ハウジング１０内に押し込むだけで、ガイド突起４２がガイドスロープ２３ｃに沿って移動し、片持ち片４１をたわませながら再びスライド規制溝２３に係合するので、また装着状態を形成することができる。
【００５０】
引出し部材３０を収納するときは、まず引出し部材３０がスライダ２０のスライド溝２６に沿って後方へ摺動する。そして、スライダ２０の係止爪２８が切欠孔１６との係合状態を解除され、さらに摺動抵抗ばね３４が係止溝２７に係合する。その後、スライダ２０がハウジング１０に対して後方へ移動していく。このとき、引出し部材３０もスライダ２０と一体に移動して後方摺動端近くでロック機構１１に係合してロックされる。
【００５１】
なお、本発明は上述した実施形態に限定されるものではない。
例えば、引出し部材は小物収納のほか、トレイ、灰皿、カップホルダ等、各種の用途に適した形状に形成することができる。
【００５２】
【発明の効果】
以上説明したように、本発明によれば、ハウジングの前端開口部付近にせり出した周辺構造物があっても、それら周辺構造物よりも前方で引出し部材を回動させることができ、その結果、周辺構造物との干渉を気にすることなく、スライダひいてはハウジングに対する引出し部材の傾き角度を自由に設定することができ、自動車のインスツルメンタパネル等への組み込み自由度が広がり汎用性が向上する。
【図面の簡単な説明】
【図１】本発明の実施形態に係る引出し装置の外観を示す斜視図で、ハウジング内に引出し部材とスライダが収納された状態を示している。
【図２】本発明の実施形態に係る引出し装置の外観を示す斜視図で、図１に続き、ロックを解除しハウジングからスライダを引出した状態を示している。
【図３】本発明の実施形態に係る引出し装置の外観を示す斜視図で、図２に続き、ハウジングから引出し部材を引出した状態を示している。
【図４】本発明の実施形態に係る引出し装置の外観を示す斜視図で、図３に続き、スライダに対し引出し部材を回動させた状態を示している。
【図５】本発明の実施形態に係る引出し装置の分解斜視図である。
【図６】ハウジングを示す図で、（ａ）は平面図、（ｂ）は左側面図、（ｃ）は右側面図である。
【図７】スライダを示す図で、（ａ）は平面図、（ｂ）は正面図、（ｃ）は左側面図である。
【図８】スライダを示す図で、（ａ）は外観斜視図、（ｂ）は側面断面図である。
【図９】引出し部材を示す図で、（ａ）は平面図、（ｂ）は左側面図、（ｃ）は外観斜視図である。
【図１０】ガイド部材を示す図で、（ａ）は正面図、（ｂ）は背面図、（ｃ）は右側面図、（ｄ）は右側面断面図、（ｅ）は斜め前方から視た斜視図、（ｆ）は斜め後方から視た斜視図である。
【図１１】本発明の実施形態に係る引出し装置の動作を説明するための図で、（ａ）はスライダを側面を実線で示し、（ｂ）はハウジングとスライダを断面で示し、（ｃ）はハウジングとスライダを断面で、引出し部材を実線で示している。
【図１２】図１１に続く動作説明図で、（ａ）はスライダを側面を実線で示し、（ｂ）はハウジングとスライダを断面で示している。
【図１３】（ａ）は図１２に続く動作説明図で、（ｂ）は同図（ａ）に続く動作説明図であり、いずれもハウジングとスライダを断面で示している。
【図１４】図１３（ｂ）に続く動作説明図で、（ａ），（ｂ）はハウジングとスライダをそれぞれ異なった断面で示している。
【図１５】（ａ）は図１４と同様の状態をハウジングが傾斜して装着された状態をもって示す図、（ｂ）は引出し部材に大きな横荷重が作用したときの状態を示す図である。
【符号の説明】
１０：ハウジング
１１：ロック機構
１２：ピン
１３：ロック爪
１４：コイルばね
１５：装着部
１５ａ：装着窓
１６：切欠孔
２０：スライダ
２１：底板
２１ａ：傾斜面
２２：側板
２２ａ：天板装着部
２２ｂ：組付け部
２３：スライド規制溝
２３ａ：周壁
２３ｂ：凸部
２３ｃ：ガイドスロープ
２４：側部弾力片
２５：上部弾力片
２６：スライド溝
２６ａ：湾曲部
２６ｂ：切欠き部
２７：係止溝
２８：係止爪
２８ａ：爪部
２８ｂ：当接部
２９：ねじりコイルばね
３０：引出し部材
３１：収納凹部
３２：第１の支持突起
３３：第２の支持突起
３４：摺動抵抗ばね
４０：ガイド部材
４１：片持ち片
４２：ガイド突起
４３：支持片
４４，４５：折返し部
４６：装着爪
５０：天板
【図１】
2004196090.tif 000003
【図２】
2004196090.tif 000004
【図３】
2004196090.tif 000005
【図４】
2004196090.tif 000006
【図５】
2004196090.tif 000007
【図６】
2004196090.tif 000008
【図７】
2004196090.tif 000009
【図８】
2004196090.tif 000010
【図９】
2004196090.tif 000011
【図１０】
2004196090.tif 000012
【図１１】
2004196090.tif 000013
【図１２】
2004196090.tif 000014
【図１３】
2004196090.tif 000015
【図１４】
2004196090.tif 000016
【図１５】
2004196090.tif 000017